(57)【要約】      （修正有）【課題】実名等が分からなくても所望の対象者とコンタクトをとれるようにする。また対象者を選択する重要度の高さを表現できるようにする。【解決手段】自と他が互いに少なくとも推量し合って、照合時に合致することを所望するランダムな属性情報を含む個人情報を利用者の識別情報とともに登録し、検索できるようにする。また所定のメッセージとして自と対象者の情報を対にして登録し、登録した情報を所定期間内の回数または対象者数により制限する。【選択図】図１２
2013020485.tif 000002
【特許請求の範囲】
【請求項１】
サーバ装置と、利用者が操作するクライアント装置とがネットワークを介して接
続され、前記利用者間のコンタクトを仲介するマッチングシステムであって、
前記サーバ装置は、
前記クライアント装置から送信される情報であって、自と他が互いに少なくとも推量し合って照合時に合致することを所望するランダムな属性情報 (以下、推量情報という。)を含む前記利用者の個人情報(以下、利用者情報という。)、を当該利用者を特定するための識別情報に対応させて格納しデータベースとして蓄積する利用者情報蓄積手段と、
前記クライアント装置から照合のため送信される情報であって、前記利用者がコンタクトを所望する特定の相手 (以下、対象者という。) の個人情報 (以下、対象者情報という。) と、前記データベースに格納されている前記利用者情報との間で照合を行う照合手段と、
照合結果を前記クライアント装置に送信する送信手段と、
を備え、
前記クライアント装置は、
前記サーバ装置に情報を送信する送信手段と、
前記サーバ装置から送信された情報を受信する受信手段と、
前記受信したサーバ装置からの情報を表示する表示手段と、
を備えることを特徴とするマッチングシステム。
【請求項２】
前記推量情報は、キーワード、合言葉、記号、暗号、図形、画像、ＧＰＳを利用した位置情報、日時情報の少なくとも1つであることを特徴とする請求項１に記載のマッチングシステム。
【請求項３】
サーバ装置と、利用者が操作するクライアント装置とがネットワークを介して接続され、前記利用者間のコンタクトを仲介するマッチングシステムであって、
前記サーバ装置は、
前記対象者に対する所定のメッセージの伝達として、前記クライアント装置から前記対象者情報とともに送信される前記利用者の前記利用者情報を格納しデータベースとして蓄積する第一セット情報蓄積手段と、
該データベースの中から、一の利用者の前記利用者情報と他の利用者の前記対象者情報、または前記一の利用者の前記対象者情報と他の利用者の前記利用者情報、少なくとも一つ、との間で照合を行う照合手段と、
照合結果を前記クライアント装置に送信する送信手段と、
を備え、
前記クライアント装置は、
前記サーバ装置に情報を送信する送信手段と、
前記サーバ装置から送信された情報を受信する受信手段と、
前記受信したサーバ装置からの情報を表示する表示手段と、
を備えることを特徴とするマッチングシステム。
【請求項４】
サーバ装置と、利用者が操作するクライアント装置とがネットワークを介して接続され、前記利用者間のコンタクトを仲介するマッチングシステムであって、
前記サーバ装置は、
前記対象者に対する所定のメッセージの伝達として、前記クライアント装置から前記対象者情報とともに送信される前記利用者の個人情報を格納しデータベースとして蓄積する第二セット情報蓄積手段と、
該データベースの中から、一の利用者の個人情報と他の利用者の前記対象者情報、または前記一の利用者の前記対象者情報と他の利用者の個人情報、少なくとも一つ、との間で照合を行う照合手段と、
照合結果を前記クライアント装置に送信する送信手段と、
を備え、
前記クライアント装置は、
前記サーバ装置に情報を送信する送信手段と、
前記サーバ装置から送信された情報を受信する受信手段と、
前記受信したサーバ装置からの情報を表示する表示手段と、
を備え、
該クライアント装置から送信される、前記所定メッセージ伝達のための前記第二セット情報の登録を、所定期間内の、回数または対象者数により制限することを特徴とするマッチングシステム。
【請求項５】
前記期間は略一ヶ月以上、前記回数は数回以内であることを特徴とする請求項４に記載のマッチングシステム。
【請求項６】
利用者が操作するクライアント装置をネットワークを介してサーバ装置と接続し、     前記利用者間のコンタクトを仲介するシステムによるマッチング方法であって、
前記クライアント装置から送信される前記利用者情報を、該利用者を特定するための識別情報に対応させてサーバ装置に格納しデータベースとして蓄積するステップと、
該サーバ装置において、前記クライアント装置から照合のため送信される前記対象者情報と、前記データベースに格納されている前記利用者情報との間で照合を行うステップと、
該照合結果を前記ライアント装置に送信するステップと、
を有することを特徴とするマッチング方法。
【請求項７】
利用者が操作するクライアント装置をネットワークを介してサーバ装置と接続し、
前記利用者間のコンタクトを仲介するシステムによるマッチング方法であって、
前記対象者に対する所定のメッセージの伝達として、前記クライアント装置から前記対象者情報とともに送信される前記利用者の前記利用者情報を、前記サーバ装置に格納しデータベースとして蓄積するステップと、
該データベースの中から、一の利用者の前記利用者情報と他の利用者の前記対象者の個人情報との間で照合を行うステップと、
該照合結果を前記クライアント装置に送信するステップと、
を有することを特徴とするマッチング方法。
【請求項８】
利用者が操作するクライアント装置をネットワークを介してサーバ装置と接続し、前記利用者間のコンタクトを仲介するシステムによるマッチング方法であって、
前記対象者に対する所定のメッセージの伝達として、前記クライアント装置から前記対象者情報とともに送信される前記利用者の個人情報を前記サーバ装置に格納しデータベースとして蓄積するステップと、
該データベースの中から、一の利用者の個人情報と、他の利用者の前記対象者情報と、の間で照合を行うステップと、
照合結果を前記クライアント装置に送信するステップと、
を有し、
前記クライアント装置から送信される、前記所定メッセージ伝達のための前記情報の登録を、所定期間内の、回数または対象者数により制限することを特徴とするマッチング方法。
【発明の詳細な説明】
【技術分野】
【０００１】
本発明はマッチングシステムに関し、特に特定の相手に対するコンタクトを仲介するマッチングシステム、マッチング方法に関する。
【背景技術】
【０００２】
近年、インターネットのＷＥＢサービス、例えばＢＢＳといわれる電子掲示板やＳＮＳ(ＳＯＣＩＡＬ  ＮＥＴＷＯＲＫ  ＳＥＲＶＩＣＥ)等により世界中の人との繋がりが可能となった。ＳＮＳは主に友人や知人の紹介を通して実名や場合によっては顔写真を明らかにする非匿名での繋がり、顕名性を売りにするものであり、電子掲示板は主に不特定多数を相手とした匿名性を特徴とするコミュニティサイトである。
【０００３】
また上記のようなコミュニティサイトの他に、各々の個人情報を登録し登録された不特定の相手の個人情報を閲覧して、その中から条件の会う人を探し出す出会い支援のためのサービス等、様々な出会いや交流のための場が提供されている。(特許文献1乃至5)。この例では、主に不特定の相手を種々の方法で選ぶというものであり、上記特許文献3は「現在近くに居る」人との出会いを支援するものである。
【先行技術文献】
【特許文献】
【０００４】
【特許文献１】特開２０００−２４２６５７号公報
【特許文献２】特開２００２−７７６０号公報
【特許文献３】特開２００２−２４１１３号公報
【特許文献４】特開２００２−３００２９６号公報
【特許文献５】特開２００４−８６３９９号公報
【発明の概要】
【発明が解決しようとする課題】
【０００５】
掲示板においては少数の不適切な投稿等のため匿名性のネガティブな面が強調される場合もあり、そのためＳＮＳのようなオープンな交流サイトがもてはやされているように感じられるが、人脈の多さ、範囲の広さが有益である反面、煩わしさも生じさせ、またその顕名性は、確かに悪意の行動の抑止に有効ではあるが、一方で害を被る立場になりやすいし、時として相手にとって露骨で無遠慮な心象を与えてしまう場合があるかもしれない。また出会い支援のためのサービス等は趣味の合う人や仲間を探すのに有効であるか゛、それは即時的かつ直接的なものでもであり、手軽さ簡便さゆえの軽薄短小な関係になつたりしうるものである。
【０００６】
またＳＮＳでは、会員登録すれば居住場所やメ-ルアドレスがわからなくても、氏名を検索することにより目的の相手とコンタクトをとれることが知られているが、しかしこの場合検索可能な、相手を特定するための情報を有しない場合には目的の相手とつながることは難しいし、また家出人捜索等の場合、情報を得るために当該氏名やプライベートな情報を公開しなければならず、前記ＳＮＳ等の交流サイトでも家出人本人が登録公開していなければコンタクトをとることは困難である。
【０００７】
本発明は、上記したような問題に鑑み、実名等の情報を有しなくとも所望の相手とコンタクトをとることができ、また、いい意味の匿名性は保持しながらも不特定多数の相手ではなく、かつまたＳＮＳのような直接的でオープンなものでもない、いわばその中間に位置するような性格を帯びるものである。人が本来有しているであろう善意による行動等はむしろクローズなほうがすがすがしく写るものであるが、素性を伏せて他人を支援する「足なが」ような、いい意味の匿名性やあるいは時間という緩衝材を挟んで醸成されるスローで自制の効いた心の交流の場を提供することを目的とする。
【課題を解決するための手段】
【０００８】
本発明はこのために、サーバ装置と利用者が操作するクライアント装置とをネットワークを介して接続し、前記サーバ装置は、前記クライアント装置から送信される情報で、自と他が互いに少なくとも推量し合って、照合時に合致することを所望するランダムな属性情報 (以下、推量情報という。)を含む前記利用者の個人情報(以下、利用者情報という。)、を該利用者を特定するための識別情報に対応させて格納しデータベースとして蓄積する利用者情報蓄積手段と、
前記クライアント装置から照合 (検索) のため送信される情報で、前記利用者がコンタクトを所望する特定の相手 (以下、対象者という。) の個人情報(以下、対象者情報という。)と、前記データベースに格納されている利用者情報との間で照合を行う照合手段と、
照合結果を前記クライアント装置に送信する送信手段と、を備え、
前記クライアント装置は、前記サーバ装置に情報を送信する送信手段と、前記サーバ装置から送信された情報を受信する受信手段と、前記受信したサーバ装置からの情報を表示する表示手段と、を備えることを特徴とするマッチングシステムを提供するものである。
【０００９】
上記において、対象者とは、複数の候補者の中から所定条件下で選択する選択対象者ではなく、あらかじめ利用者の意識の中で特定されている目標対象者を意味する。また個人情報とは前記推量情報を含む、含まない、のどちらでもよい。
また識別情報とは、管理運営側が利用者を識別するための利用者ＩＤや端末の固体識別情報等であり、利用者情報は、氏名、姓名、居住地域名、電話番号、メールアドレス、ＵＲＬ、年齢、性別、生年月日、血液型、星座名、職業名、勤務先名、所属部署、学校名、学科名、学年、学級名、サークル名、部活名、ニックネーム、ハンドルネーム、文化、スポーツ、食べ物等の興味や趣味や嗜好の対象名、等の利用者に付随する属性情報の他、ランダムなキーワード等であって、例えば同じ空間に居合わせた時見聞きした事象や、互いの会話の中に出てきたテーマや情報、口癖、一般的な癖、互いの興味や趣味ゃ嗜好の対象名、暗示させるようなもの、互いに共有している、または共有していると認識している事象や概念等、照合した時合致することを期待して、互いにしか知りえないようなことや、あるいはゲーム感覚で想像し、予想し、推量して登録し合う「推量情報」を含むキーワードや略語等のあらゆる自然言語であり、また別の構成として日時情報や場所情報等 合言葉や、記号、暗号、アイコン等の図形や画像を含む。
【００１０】
また前記サーバ装置は、前記対象者に対する所定のメッセージの伝達として、各々の利用者の利用者情報を、前記対象者の個人情報とともに格納しデータベースとして蓄積する第一セット情報蓄積手段と、該データベースの中から、一の利用者の前記利用者情報と他の利用者の前記対象者情報、または前記一の利用者の前記対象者情報と他の利用者の前記利用者情報、少なくとも一つ、との間で照合を行う照合手段と、照合結果を前記クライアント装置に送信する送信手段と、を備えることを特徴とするシステムを提供し、例えば好意感情等のメッセージの伝達を目的として、自身に関する情報と前記メッセージを伝えたい特定の相手に関する情報を対にして登録し、一の「自身に関する情報」と他の「相手に関する情報」等を照合して、対象者が自分に対して同じメッセージをインタラクティブに共有しているかどうかを確認することができる。
【００１１】
さらに、
一般的に、複数のものの中から特定のものを選択する場合、選択する数と選択されるものの価値や重要性は反比例、つまり選択されるものの数が少ない程選択されるものの重要度が高くなる、というように考えることができる。
さらに時間軸の概念が加わって、選択されている継続時間が長い程重要度が高くなると考えられ、二元的、複眼的に重要度を表現できる。
そこで、ある特定の対象者に対する選択権を一回として、選択した対象者に対する選択者の任意のメッセージの重要度を、ある一定の期間における選択権の使用回数として具現化できる。即ち、一定期間内の選択権の使用回数が少ない程選択された対象者の重要度が高くなり、結果として選択者の選択した対象者に対する任意のメッセージの重要度の高さを表現できるわけである。
【００１２】
よって、サーバ装置と、利用者が操作するクライアント装置とがネットワークを介して接続され、前記利用者間のコンタクトを仲介するマッチングシステムであって、
前記サーバ装置は、
前記対象者に対する所定のメッセージの伝達として、前記クライアント装置から前記対象者情報とともに送信される前記利用者の個人情報を格納しデータベースとして蓄積する第二セット情報蓄積手段と、
該データベースの中から、一の利用者の個人情報と他の利用者の前記対象者情報、または前記一の利用者の前記対象者情報と他の利用者の個人情報、少なくとも一つ、との間で照合を行う照合手段と、
照合結果を前記クライアント装置に送信する送信手段と、
を備え、
前記クライアント装置は、
前記サーバ装置に情報を送信する送信手段と、
前記サーバ装置から送信された情報を受信する受信手段と、
前記受信したサーバ装置からの情報を表示する表示手段と、
を備え、
該クライアント装置から送信される、前記所定メッセージ伝達のための前記第二セット情報の登録を、所定期間内の、回数または対象者数により制限することを特徴とするマッチングシステムを提供することにより、相手に対してメッセージの重要度の高さを表現できる。
【００１３】
また上記システムを実現するためのプログラムを提供することもできる。
【発明の効果】
【００１４】
本発明の特徴は登録する情報の内容にある。情報登録の目的は目当てとする前記対
象者とのコンタクトであり、その手段である登録の情報の内容が氏名やメールアドレス等の特定情報でなくとも、前記したように推理や想像や暗示等で得られるような他の様々な属性情報であり、それにって対象者とコンタクトをとることか可能と成し、該手段によって匿名でポジティブなことばを送ったりもらったり、また特定のメッセージを時間や回数の制限という形で表現したり、いい意味の匿名性やあるいは時間という緩衝材を挟んで醸成されるスローで自制の効いた心の交流を提供することができる。
【図面の簡単な説明】
【００１５】
【図１】本発明の実施の形態に係るマッチングシステムの全体の概略構成図である。
【図２】サーバ装置２００のブロック構成図である。
【図３】制御部２１０の機能ブロック図である。
【図４】携帯情報端末３１０ブロック構成図である。
【図５】利用者情報テーブル２８１のデータ例である。
【図６】同一情報群テーブル２８２のデータ例である。
【図７】非開示情報テーブル２８３のデータ例である。
【図８】メッセージ集テーブル２８４のデータ例である。
【図９】会員登録の処理手順を示すフローチャートである。
【図１０】ホームページ (ＨＰ) の表示画面である。
【図１１】会員登録フォームの表示画面である。
【図１２】利用者情報登録の処理手順を示すフローチャートである。
【図１３】利用者情報の紹介画面である。
【図１４】利用者情報登録フォームの表示画面である。
【図１５】利用者情報の検索の処理手順を示すフローチャートである。
【図１６】サーバ装置での検索ルーチンの処理手順を示すフローチャートである。
【図１７】検索フォームの表示画面である。
【図１８】検索結果の表示画面である。
【図１９】メッセージ集のメッセージを選択する表示画面である。
【図２０】「ＬＩＫＥ」メッセージ伝達のための情報登録フォームの表示画面であ                る。
【図２１】「ＬＩＫＥ」メッセージ伝達のための情報登録及びマッチング (照合 の                処理手順を示すフローチャートである。
【図２２】第二セット情報テーブル２８５のデータ例である。
【発明を実施するための形態】
【００１６】
以下、本発明の実施の形態を図面を参照しながら説明する。
図１は、本発明に係るマッチングシステムの概略構成を示す図である。本図に示すように、マッチングシステムは主に、サーバ装置と、複数のパーソナルコンピューターや携帯電話、ＰＤＡ(Ｐｅｒｓｏｎａｌ  Ｄｅｄｉｔａｌ  Ａｓｓｉｓｔａｎｔ)等の携帯通信端末、その他サーバ装置と通信可能な各種情報処理端末と、通信ネットワークから構成される。
【００１７】
図２は、上記マッチングシステムを構成するサーバ装置２００のブロック構成図である。このサーバ装置２００は、ＣＰＵを備えマッチング等各制御プログラムを実行することにより各部の動作を制御する制御部２１０と、マウスや操作キー等で実行される操作部２５０と、液晶ディスプレイ等の表示部２４０と、各種ドライブ装置等で実行される記憶部２６０と、タイマーやカレンダーにより日時情報を出力する時間部２３０と、通信ネットワーク１００に接続して通信を制御する通信部２２０とにより構成される。記憶部２６０のデータベース２７０にはテーブル群２８０が格納されている。
【００１８】
図３に示すように制御部は、検索処理等の制御を行うマッチング部 (検索処理部) ２１１、各種情報登録処理や日時情報を制御する登録処理部２１２、メッセージの登録や送信等の制御を行うメッセージ処理部２１３等により構成される。
【００１９】
前記テーブル群２８０を構成する各テーブルのうち、図５に示す利用者情報テーブ
ル２８１は、利用者の識別情報である利用者ＩＤと、前記した推量情報を含んだランダムな個人情報が夫々番号と対応付けて格納されている。
【００２０】
さらに本実施形態では、利用者情報を、夫々のグループ内の情報が同一人物のものとして認識されるように、利用者自身の判断でグループ分けして登録し、他の利用者が検索した時、該幾つかの検索情報の中で前記同じグループ内の情報であれば該複数の情報は同一人物の情報として認識され、他のグループ内のものであれば、それが先ほどと同一人物のものなのかどうかはわからないようになっており、利用者のプライバシーを考慮した登録が可能と成している。図６の同一情報群テーブル２８２では前記利用者情報テーブル２８１の夫々の情報番号がＡＢＣの記号のグループに分けられている。
【００２１】
さらに本実施形態では、図７に示すように利用者情報は、他の利用者が自由に検索できる開示情報と、検索者と対象者双方が同一の情報として利用者情報テーブルに登録している場合にのみ開示される非開示情報とに分けられ、非開示情報は、検索者が(対象者に対して)任意の情報を検索しようとする場合、検索者自身も該情報を登録していなければヒットしないようになっている。また、このために登録情報は所定期間、登録を保持されるようにしてもよい。
【００２２】
図４はクライアント装置３００として携帯情報端末３１０のハードウェア構成を示すブロック図であり、各制御プログラムを実行するＣＰＵにより各部の動作を制御する制御部３１１と、通信ネットワークを介してサーバ装置等と情報の送受信を行う通信部３１２と、送受信メール情報やアプリケーションプログラム情報等を格納する記憶部３１３と、時間部３１４と、操作ボタン等により、情報入力等を行う操作部３１７と、位置情報を検出するＧＰＳ機能を有するＧＰＳ通信部３１５と、サーバ装置から送信される登録や検索のための各種フォーマット等を表示する表示部３１６等により構成される。
【００２３】
<実施形態１>
本発明の実施形態はまず複数のクライアント装置３００からサーバ装置２００に各々の利用者情報を送信して登録し、任意の利用者が登録された利用者情報を検索して予め用意されたメッセージの送信等を行う。
図９に示すフローチャートで会員登録の処理手順を説明する。
利用者の操作するクライアント装置３００は通信ネットワーク１００を介してサーバ装置２００に対してアクセスを行う (ステップ、以下、Ｓとする。１０１ )。サーバ装置２００はクライアント装置３００からの接続要求を受けてホームページデータを送信し (Ｓ１０２ )、クライアント装置３００の表示画面にホームページが表示される (Ｓ１０３ )。利用者は図１０に示すような画面から「会員登録」を選択すると (Ｓ１０４) 、会員登録フォームの送信要求がサーバ装置２００に出され (Ｓ１０５) 、サーバ装置から会員登録フォームがクライアント装置３００に送信されて（Ｓ１０６)、図１１に示すような会員登録フォーム画面が表示される(Ｓ１０７ )。パスワード等必要事項を入力して (Ｓ１０８) サーバ装置２００に送信される (Ｓ１０９ )。なお本人認証については、携帯電話等の携帯端末からのアクセス時に自動的に送信される固体識別番号やＰＣのクッキー機能等により行うこととし、本人認証が行われて (Ｓ１１０) 、利用者ＩＤがクライアント装置に送信されて (Ｓ１１１) 表示される (Ｓ１１２) 。
【００２４】
続いて図１２に示すフローチャートで利用者情報登録の処理手順を説明する。
利用者の操作するクライアント装置３００は通信ネットワーク１００を介してサーバ装置２００に対してアクセスを行う (Ｓ２０１ )。サーバ装置２００はクライアント装置３００からの接続要求を受けてホームページデータを送信し (Ｓ２０２ )、クライアント装置３００の表示画面にホームページが表示される (Ｓ２０３ )。利用者ＩＤが入力されて (Ｓ２０４) 「利用者情報登録」を選択すると (Ｓ２０５) 、利用者情報登録フォームの要求がサーバ装置２００に送信され (Ｓ２０６) 、本人認証後 (Ｓ２０７) 、登録処理部２１２によりサーバ装置２００からクライアント装置３００に利用者情報登録フォームが送信される (Ｓ２０８) 。図１３に示すような画面において「次へ」を選択すると、図１４に示すような利用者情報登録フォームが表示され(Ｓ２０９)、利用者情報を入力して (Ｓ２１０) サーバ装置２００に送信される (Ｓ２１１ )。なお図１０や図１３にある「キーワード」と「その他」もハイパーリンクで、クリックすると説明画面においてその意味等が前記したように説明される。図１４の利用者情報登録フォームのキーワード入力ボックスは三つのブロックに分かれていて、左端のブロックは前記した非開示情報にするかどうかのチェック欄、右端のブロックは前記した同一情報群に分けるＡＢＣ記号を入力する欄である。図１２に戻り利用者情報を受信したサーバ装置２００は利用者情報を利用者情報テーブル２８１に格納する。また情報は日時情報や、ＧＰＳを利用して緯度や経度を数値化したりイメージデータファイルとして格納する場所情報、合言葉や、記号、暗号、アイコン等の図形や画像等、テキストや画像データを含む。
【００２５】
格納された実施例として図５に示す利用者情報テーブル２８１では、例えば利用者ＩＤx x x x x x 1の利用者は戦争末期に旧満州ハルビンの白城というところで生き別れになった春夫という名前の我が子を探している。その春夫という対象者も実の親を探して中国からアクセスしているであろうことを前提にして、お互いに共有しているであろう「春夫」「ハルビン」「白城」というキーワードの他に今も残っているであろう戦争末期の混乱の最中に負った「膝の傷跡」を登録している。またx x x x x x２の利用者は旅先の「剣旅館」で知り合い、同じ趣味である「三味線」や持病の「リウマチ」の話で盛り上がり意気投合したが、大きな「時計台」のある場所で別れてそのままになつていた。ひさしぶりに親交を持ちたくなって登録している。というように肉親探しや音信不通の人の安否や所在等の情報を掴むことができる。
【００２６】
続いて図１５で示すフローチャートにより利用者情報の検索(照合) の処理手順を説明するが、類義語等の照合での適合率等については周知の自然文分析処理の分析等により照合が行われる。
利用者の操作するクライアント装置３００は通信ネットワーク１００を介してサーバ装置２００に対してアクセスを行う (Ｓ３０１ )。サーバ装置２００はクライアント装置３００からの接続要求を受けてホームページデータを送信し (Ｓ３０２ )、クライアント装置３００の表示画面にホームページが表示される (Ｓ３０３ )。利用者ＩＤが入力されて (Ｓ３０４) 「検索」を選択すると (Ｓ３０５) 、検索フォームの要求がサーバ装置２００に送信され (Ｓ３０６) 、本人認証後 (Ｓ３０７) 、マッチング部 (検索処理部)２１１ によりサーバ装置２００からクライアント装置３００に検索フォームが送信され (Ｓ３０８) 、表示画面に図１７に示すような検索フォームが表示されて(Ｓ３０９)、検索情報を入力し (Ｓ３１０) 「検索」ボタンをクリックするとサーバ装置２００に送信される (Ｓ３１１ )。図１６で、送信されてきた１乃至複数の検索情報は個別に検索され、合致した情報があるかどうかが判定され (Ｓ３１２ａ) 、検索の結果合致した情報は次に非開示情報か否かの判定をされる (Ｓ３１２ｂ) 。判定の結果、非開示情報でない場合はＳ３１３に進んでクライアント装置３００に送信され、非開示情報であった場合は該情報を、検索者自身も利用者情報テーブル２８１に登録しているかどうかを判定し (Ｓ３１２ｃ) 、登録されている場合はＳ３１５に進んでクライアント装置３００に送信され、登録されていない場合はＳ３１２ｄに進んで次の情報が検索される。サーバ装置２００から送信された検索結果は、クライアント装置３００の表示画面の図１８に示すボックス欄に合致した情報のみ全て表示される (Ｓ３１６) 。ボックス欄の右端のブロックは、同一情報数と前記した様にその情報が同一人物のものかどうかを示すＡＢＣ記号が表示される。検索結果が目当てとする対象者かどうかの最終判断は検索者自身が行い、対象者と判断した場合には、例えばサーバ装置内に、コンタクトやコミュニケーションを行う場を設定、例えば利用者各々にメールボックスを用意しておいて、図１８の「メッセージ」ボタンをクリックすると、予め図８のメッセージ集テーブル２８４に格納されているような、ポジティブな内容を中心としたメッセージ集を図１９のような表示画面に表示させ、その中から任意のメッセージキーワード等をクリックして選択し、対象者に送信するというような構成にすることができる。前記したような「足長」感覚で、匿名で対象者に対して励まし等のポジティブなことばを送る、いわば人が持つ攻撃性や暴力性を抑制して善の心を喚起するといったような心の交流が実現可能となるのである。また、各々にアクセスするためのメールアドレス等の情報を配信するという構成にすることもできる他、チャットや掲示板を設定することもできる。
【００２７】
<実施例２>
続いての実施例は、前記対象者に対する所定のメッセージの伝達として、各々の利用者の個人情報を、前記対象者の個人情報とともに格納して夫々の間で照合を行うというものであるが、図２１で示すフローチャートにより特に期間や回数等により制限された「ＬＩＫＥ」メッセージ伝達、つまり好意感情等を相手に伝えるための情報登録及びマッチング (照合) の処理手順について説明する。
利用者の操作するクライアント装置３００は通信ネットワーク１００を介してサーバ装置２００に対してアクセスを行う (Ｓ４０１ )。サーバ装置２００はクライアント装置３００からの接続要求を受けてホームページデータを送信し (Ｓ４０２ )、クライアント装置３００の表示画面にホームページが表示される (Ｓ４０３ )。利用者ＩＤが入力されて (Ｓ４０４) 「メッセージ」選択に続いて図１９の「ＬＩＫＥ」ボタンをクリックして選択すると (Ｓ４０５) 、図２０に示すような「ＬＩＫＥ」メッセージ伝達のための情報登録フォーム (図では単に「ＬＩＫＥ」メッセージとする。) の要求がサーバ装置２００に送信され (Ｓ４０６) 、本人認証後 (Ｓ４０７) 、メッセージ処理部２１３ により、送信者本人がすでに「ＬＩＫＥ」メッセージの情報登録をしてあり、かつそれが現在まだ制限期間内であるかどうかの判定を行い（Ｓ４０８) 、ＹＥＳ、つまりまだ制限期間内であればこの登録を許可しない旨を説明する不可メッセージがクライアント装置３００に送信され (Ｓ４０９) 、制限期間を過ぎていれば、サーバ装置２００からクライアント装置３００に「ＬＩＫＥ」メッセージフォームが送信される (Ｓ４１０) 。クライアント装置３００では、サーバ装置２００から送信されてきたデータが「ＬＩＫＥ」メッセージフォームであれば表示画面に「ＬＩＫＥ」メッセージフォームが表示される(Ｓ４１１)が、この実施例ではプライバシー保護のためのパスワードを入力させ、続いて「ＬＩＫＥ」メッセージ伝達のための情報を自身の前記個人情報とメッセージを届けたい対象者の前記個人情報をセットにして入力し (Ｓ４１２)、「決定」ボタンをクリックするとサーバ装置２００に送信される (Ｓ４１３)。サーバ装置２００では、送信されてきた情報を第二セット情報として時間部から出された日時情報とともに第二セット情報テーブル２８５に格納し (Ｓ４１４) 、さらに「ＬＩＫＥ」メッセージ登録者自身の前記個人情報と他の利用者の前記対象者情報、または登録者の前記対象者情報と他の利用者の個人情報、少なくとも一つ、との間で照合を行い (Ｓ４１５) 、検索結果がクライアント装置３００に送信され る(Ｓ４１６) 。表示画面では不可メッセージまたは「ＬＩＫＥ」メッセージフォームいずれかが表示される (Ｓ４１７) 。図２２は第二セット情報テーブル２８５に格納された実施例のデータであり、各利用者における情報項目は二段になっていて上段が自身に関する情報、下段が対象者情報である。この例の利用者ＩＤ x x x x 1 0 3 のように登録情報数を少なくしたり、特定度の高い情報を避けて暗示キーワード等で暈かしたりして言語的技術により特定率を操作し、相手に判断を委ねるというようなことも可能である。
【００２８】
各テーブル群２７０の各々の情報は更新可能であり、また本発明は前記実施例に限定されるものではなく本発明の要旨を逸脱しない範囲で種々の変更が可能である。
【符号の説明】
【００２９】
１      マッチングシステム全体の概略構成図
１００  通信ネットワーク
２００  サーバ装置
３００  クライアント装置
２１０  制御部
２８０  テーブル群
２８１  利用者情報テーブル
２８４  メッセージ集テーブル
２８５  第二セット情報テーブル
【図１】
2013020485.tif 000003
【図２】
2013020485.tif 000004
【図３】
2013020485.tif 000005
【図４】
2013020485.tif 000006
【図５】
2013020485.tif 000007
【図６】
2013020485.tif 000008
【図７】
2013020485.tif 000009
【図８】
2013020485.tif 000010
【図９】
2013020485.tif 000011
【図１０】
2013020485.tif 000012
【図１１】
2013020485.tif 000013
【図１２】
2013020485.tif 000014
【図１３】
2013020485.tif 000015
【図１４】
2013020485.tif 000016
【図１５】
2013020485.tif 000017
【図１６】
2013020485.tif 000018
【図１７】
2013020485.tif 000019
【図１８】
2013020485.tif 000020
【図１９】
2013020485.tif 000021
【図２０】
2013020485.tif 000022
【図２１】
2013020485.tif 000023
【図２２】
2013020485.tif 000024